(57)【要約】【課題】  本発明は、開口部において、外観性に優れるとともに、採光・通風を考慮するだけでなく、熱の流出入の抑制、外部との遮音、開口部廻りの内部有効利用にも配慮した住宅の開口部構造を提供することを課題とする。【解決手段】  本発明の開口部構造は、住宅の壁等に設けられた開口部、この開口部の廻りの前記壁等の外側に設けられた断熱材層、および持ち出し部材によりその外表面が前記壁の外表面より突出し、前記断熱材層と連続するように前記開口部に取り付けられたサッシ等開口部材を備えていることを特徴とする。【選択図】  図３
2006037677.tif 000002
【特許請求の範囲】
【請求項１】
住宅の壁等に設けられた開口部、この開口部の廻りの前記壁等の外側に設けられた断熱材層、および持ち出し部材によりその外表面が前記壁の外表面より突出し、前記断熱材層と連続するように前記開口部に取り付けられたサッシ等開口部材を備えていることを特徴とする住宅の開口部構造。
【請求項２】
前記開口部の部屋内部側の周壁に仕上げが施されている請求項１の住宅の開口部構造。
【請求項３】
前記開口部に取り付けられたサッシ等開口部材廻りに、水切り金物が配備され、雨水やすきま風の侵入に考慮された請求項１または２の住宅の開口部構造。
【請求項４】
前記サッシ等開口部材廻りの間隙に断熱材層が施され、外気の侵入や内気の流出に考慮された請求項１〜３のいずれかの住宅の開口部構造。
【請求項５】
前記サッシ等開口部材廻りの間隙に吸音材が施され、外部音の侵入に考慮された請求項１〜３のいずれかの住宅の開口部構造。
【請求項６】
前記吸音材が断熱材層も兼ねている請求項５の住宅の開口部構造。
【請求項７】
前記サッシ等開口部材の外表面と面一にその外表面がなるように外装材が設けられた請求項１〜６のいずれかの住宅の開口部構造。
【請求項８】
前記サッシ等開口部材と部屋の内壁部材は、連続して接合され、さらに内装材により仕上げられた空間を持つ請求項１〜７のいずれかの住宅の開口部構造。
【請求項９】
前記仕上げられた空間の下部にカウンターが設置された請求項８の住宅の開口部構造。
【請求項１０】
前記仕上げられた空間の上部にカーテンレールが設置された請求項８または９の住宅の開口部構造。
【請求項１１】
前記仕上げられた空間の上部と下部の間の適切な位置に窓手摺りが設置された請求項８〜１０のいずれかの住宅の開口部構造。
【請求項１２】
前記サッシ等開口部材として、断熱性を有するものを使用した請求項１〜１１のいずれかの住宅の開口部構造。
【発明の詳細な説明】
【技術分野】
【０００１】
本発明は、住宅の開口部構造に関するものである。
【背景技術】
【０００２】
住宅特にマンション等の集合住宅において、断熱材層を壁等の外側に配置した外断熱構造が知られている。しかしながら、従来の外断熱構造のものは、単に内部設置されていた断熱材層を外側に持ってきただけで、特に開口部（本明細書においては、引き違い窓、片引き戸、開き戸、倒し戸、嵌め殺し窓等と称されるものもこれに含まれるものとする）においてでこぼこしたりして外観が芳しくなかった。
【発明の開示】
【発明が解決しようとする課題】
【０００３】
そこで、本発明は、開口部において、外観性に優れるとともに、採光・通風を考慮するだけでなく、熱の流出入の抑制、外部との遮音、開口部廻りの内部有効利用にも配慮した住宅の開口部構造を提供することを課題とする。
【課題を解決するための手段】
【０００４】
上記課題は、下記（１）〜（１２）のいずれかの構成の本発明による住宅の開口部構造により達成できる。
（１）
住宅の壁等に設けられた開口部、この開口部の廻りの前記壁等の外側に設けられた断熱材層、および持ち出し部材によりその外表面が前記壁の外表面より突出し、前記断熱材層と連続するように前記開口部に取り付けられたサッシ等開口部材を備えていることを特徴とする住宅の開口部構造。
（２）
前記開口部の部屋内部側の周壁に仕上げが施されている上記（１）の住宅の開口部構造。
（３）
前記開口部に取り付けられたサッシ等開口部材廻りに、水切り金物が配備され、雨水やすきま風の侵入に考慮された上記（１）または（２）の住宅の開口部構造。
（４）
前記サッシ等開口部材廻りの間隙に断熱材層が施され、外気の侵入や内気の流出に考慮された上記（１）〜（３）のいずれかの住宅の開口部構造。
（５）
前記サッシ等開口部材廻りの間隙に吸音材が施され、外部音の侵入に考慮された上記（１）〜（３）のいずれかの住宅の開口部構造。
（６）
前記吸音材が断熱材層も兼ねている上記（５）の住宅の開口部構造。
（７）
前記サッシ等開口部材の外表面と面一にその外表面がなるように外装材が設けられた上記（１）〜（６）のいずれかの住宅の開口部構造。
（８）
前記サッシ等開口部材と部屋の内壁部材は、連続して接合され、さらに内装材により仕上げられた空間を持つ上記（１）〜（７）のいずれかの住宅の開口部構造。
（９）
前記仕上げられた空間の下部にカウンターが設置された上記（８）の住宅の開口部構造。
（１０）
前記仕上げられた空間の上部にカーテンレールが設置された上記（８）または（９）の住宅の開口部構造。
（１１）
前記仕上げられた空間の上部と下部の間の適切な位置に窓手摺りが設置された上記（８）〜（１０）のいずれかの住宅の開口部構造。
（１２）
前記サッシ等開口部材として、断熱性を有するものを使用した上記（１）〜（１１）のいずれかの住宅の開口部構造。
【発明の効果】
【０００５】
本発明の住宅の開口部構造においては、サッシ等開口部材と断熱材層とが連続するため、特に、サッシ等開口部材の外表面と面一にその外表面がなるように外装材が設けられた場合には、開口部における外観のでこぼこが無くなり、外観性が向上する。そして、凸部の少ない建物計画は、法律上の建物に関わる形態規制においても有効となる。また、サッシ等開口部材と断熱材層を密実に連続させることが出きるので、熱の流入出を極めて良好に抑制することができる。この効果は、サッシ等開口部材として断熱性を有するものを用いれば、更に向上する。
【０００６】
また、本発明の住宅の開口部構造においては、サッシ等開口部材が建物本体から外側へ例えば水平方向へ持ち出されているので、室内の壁面よりも外側に突出した空間が形成され、室内に広がりを持たせることができるようになる。
また、突出した空間に物を置いたりすることができ、空間の有効利用が図れる。さらに、その空間を装飾することにより、通常の開口部ではできない空間を演出することができる。しかも、その空間内にカーテンレールや窓手摺りを設置できるので、室内に向かって突出するものを無くすことができる等の多くの効果がある。
【発明を実施するための最良の形態】
【０００７】
以下、添付図面を参照しつつ、本発明の実施の形態による住宅の開口部構造について説明する。
本発明の実施の形態による開口部構造１０は、住宅Ｈの壁Ｗ等に窓等を設けるために形成された開口部１２に構成される。この開口部１２の周り（実際には壁全体）の前記壁等の外側には、グラスウール等で形成された断熱材層１４が敷設されている。そして、この開口部１２には、基部が壁Ｗの開口部形成周囲面（開口部を取り囲む上下左右一対ずつの水平、垂直面）に取り付けられた持ち出し部材４０（図１〜図４では、省略した。図５以降参照。構造については後述する）によりサッシ等開口部材１８が取り付けられている。このサッシ等開口部材１８は、その外表面が前記壁Ｗの外表面より水平方向外方へ突出した状態、すなわち、持ち出し状態で、前記断熱材層１４と連続するように上記開口部１２に取り付けられている。本明細書において、上記サッシ等開口部材とは、サッシ、ドア、通気口等の蓋等の開口部を閉じるすべてのものをいい、好ましくは、樹脂製等の断熱性を有しているものが望ましい。
【０００８】
上記開口部の部屋内部側の周壁すなわち上記周囲面および断熱材層１４の開口形成周囲面に渡って、内壁部材２０が設けられている。この内壁部材２０は、上記サッシ等開口部材１８の室内側面から連続して設けられ、さらにこの内壁部材２０の表面は、仕上げ材（図示せず）により仕上げが施されている。これにより、開口部１２は、広い仕上げられた空間Ｓとなるので、室内に広がりをもたせることができる。
【０００９】
上記開口部１２に取り付けられたサッシ等開口部材廻りからの雨水やすきま風の侵入に考慮して、サッシ等開口部材１８に接合した水切り金物２２が配備されている。なお、この水切り金物２２は、通常、サッシ等開口部材１８の上辺および左右辺のみに配備するが、下辺に設けてもよいことは勿論である。また、上記サッシ等開口部材１８廻りからの外気の侵入や内気の流出に考慮して、開口部１２のサッシ等開口部材１８等の部材廻りの間隙には、断熱材２４が施され、ないしは挿入されていることが好ましい。あるいは、外部音の侵入に考慮して、上記間隙には、吸音材が施されていることが好ましい。最も好ましくは、断熱性と吸音性を備えた、上記グラスウール等を配備することが望ましい。
【００１０】
住宅（建物）の最外部には、上記サッシ等開口部材１８の外表面と面一にその外表面がなるように外装材２６が設けられている。この外装材２６は、乾式タイル等で構成し、この外装材２６は、断熱材層１４との間に通気層２８が設けられるようにして取り付けられることが好ましい。この通気層２８は、コンクリート生成時に含まれた水分や、コンクリート壁を透過して発散される室内の水蒸気をスムースに気化する作用がある。この作用により、断熱材の性能を良好に維持することができる。
【００１１】
上記仕上げられた空間Ｓの下部には、カウンター３０が設置されていることが好ましい。このカウンター３０上には、出窓のように、花瓶や置物を置くことができる。また、上記仕上げられた空間Ｓの上部には、カーテンレール付きカーテンボックス３２が収納されていることが好ましい。カーテンボックスは上記空間内に収まるので、室内に突出するようなことがない。さらにまた、上記仕上げられた空間Ｓの上部と下部の間の適切な位置に窓手摺り３４を設置することができる。
【００１２】
上記持ち出し部材４０は、図５に示されているように、Ｌ字形鋼等でできた基部部材４２、中継ぎ部材４４およびサッシ取付部材４６の３つの部材から構成されている。基部部材４２は、一辺４２ａが水平で上方を向くようにして、垂直となった他辺４２ｂが壁ＷにボルトＢ等によって固定されている。中継ぎ部材４４は、水平な一辺４４ａが下方に位置し、他辺４４ｂが垂直でサッシ等開口部材１８側の状態となるように上記基部部材４２の一辺４２ａに溶接され、壁から所定距離突出している。一方、サッシ取付部材４６は、中継ぎ部材４４の一辺４２ａの厚み分だけ上方に、水平な一辺４６ａを下にして、垂直でサッシ等開口部材１８側の他辺４６ｂでサッシ等開口部材１８に固定されている。ここで、重要なことは、サッシ取付部材４６の一端４６ｃがサッシ等開口部材１８より室内側に突出していることである。サッシ等開口部材１８の取付時には、図５に矢印で示したように、取付部材４６の一辺４６ａを中継ぎ部材４４の一辺４４ｂ上に載せ、サッシ等開口部材１８の持ち出し距離、左右位置を調節し、その上で、取付部材４６を中継ぎ部材４４に溶接して、サッシ等開口部材１８の取り付けを完了する。取り付けた状態の上部の状態を図６に、横部の状態を図７にそれぞれ示した。
以上説明した本発明の住宅の開口部構造によれば、室内に連続した開口部空間を広くすることができ、出窓のような働きを持たせることができる。しかし、出窓のようには建物本体から突出しないので、すっきりとした外観になる。
【図面の簡単な説明】
【００１３】
【図１】本発明の実施の形態による住宅の開口部構造の表側から見た斜視図である。
【図２】図１の開口部構造の裏側から見た斜視図である。
【図３】図１の開口部構造の垂直断面図である。
【図４】図１の開口部構造の水平断面図である。
【図５】サッシ等開口部材を持ち出した状態で取り付けるための持ち出し部材を模式的に示した斜視図である。
【図６】サッシ等開口部材を取り付けた状態で示した開口部上部の構造を示す断面図である。
【図７】サッシ等開口部材を取り付けた状態で示した開口部横部の構造を示す断面図である。
【符号の説明】
【００１４】
１０  開口部構造
１２  開口部
１４  断熱材層
１８  サッシ等開口部材
２０  内壁部材
２２  水切り金物
２４  断熱材
２６  外装材
２８  通気層
３０  カウンター
３２  カーテンボックス
３４  窓手摺り
４０  持ち出し部材
【図１】
2006037677.tif 000003
【図２】
2006037677.tif 000004
【図３】
2006037677.tif 000005
【図４】
2006037677.tif 000006
【図５】
2006037677.tif 000007
【図６】
2006037677.tif 000008
【図７】
2006037677.tif 000009